(57)【要約】【課題】ドライバなどの工具や取外し専用の工具を必要とせず、ハウスに張設しているハウス用シートを破損させたりすることなく、作業者が安全にかつ容易に骨組み材から取り外すことのできるシート固定具を提供する。【解決手段】開き口２１を有する細長筒状のシート取付部材２０と、無端環状又は細長帯状の柔軟な取外し用引紐３０と、を有する。引紐３０の中間部を、シート取付部材２０の内面に接合しておいてもよい。 【選択図】        図１
0003180430.tif 000002
【実用新案登録請求の範囲】
【請求項１】
周方向１箇所に形成された全長に亘る開き口を介してロッド状の骨組み材に嵌脱可能で、嵌着状態ではハウス用シートを上記骨組み材との間に挟み込んで固定する細長筒状のシート取付部材と、
骨組み材とシート取付部材との間に挟み込まれた上記シートの上に配備されて、そのシートと上記シート取付部材との間に挟み込まれて上記シート取付部材の外側方へ引き出される紐状又は帯状の柔軟な取外し用引紐と、
を有することを特徴とするハウス用シート固定具。
【請求項２】
細長筒状の上記シート取付部材は、内周断面形状が円形の上記骨組み材を抱持可能な形状に形成された弾性を有する樹脂成形体でなる請求項１に記載したハウス用シート固定具。
【請求項３】
上記取外し用引紐が、上記シート取付部材の長手方向の一端部又は他端部だけに配備され得る幅を有する帯状に形成されている請求項１又は請求項２に記載したハウス用シート固定具。
【請求項４】
上記取外し用引紐が、上記シート取付部材を取り囲む無端環状に形成されている請求項１ないし請求項３のいずれか１項に記載したハウス用シート固定具。
【請求項５】
上記取外し用引紐にテント地が採用されている請求項１ないし請求項４のいずれか１項に記載したハウス用シート固定具。
【請求項６】
上記取外し用引紐の中間部が、細長筒状の上記シート取付部材の内面に接合されている請求項１ないし請求項５のいずれか１項に記載したハウス用シート固定具。
【考案の詳細な説明】
【技術分野】
【０００１】
本考案は、ハウス用シート固定具、特に、ハウスの骨組み材に被覆材としてのシートを固定しているシート取付部材を、骨組み材から安全にかつ容易に取り外すことができるようにするための対策が講じられたハウス用シート固定具に関する。
【背景技術】
【０００２】
サクランボ栽培やその他の農業用の温室として使用されるハウスは、パイプ材などの骨組み材を組み合わせて構成される骨組みの上に、被覆材としてのハウス用シート、たとえばビニールシートを張設することによって構築されている。
【０００３】
この種のハウスに採用されるシート固定具の先行例として、硬質の合成樹脂材で断面Ｕ字形の筒体部分を有しているものが知られている（たとえば、特許文献１参照）。
【０００４】
一方、従来例に係るシート固定具の使用状態を図７に概略斜視図で示し、同シート固定具によるシートの固定箇所の構成を図８に拡大断面図で示してある。図７において、１はパイプ材などでなる骨組み材、２はシート固定具、３はビニルシートなどのシートを示している。図８に示したように、シート固定具２は、細長筒状部材の周方向１箇所に全長に亘る開き口２１を有する細長筒状体によって形成されていて、それ自体は拡縮方向に弾性変形可能である。そして、骨組み材１の上に配備したシート３の上から、開き口２１を利用してシート固定具２を骨組み材１に嵌着すると、図８のようにシート３がシート固定具２と骨組み材１との間に挟み込まれて固定される。
【０００５】
シート３の固定に使用されているシート固定具２は、シート３の張り替え時などに骨組み材１から取り外して撤去される。このときの取外し作業では、作業者がシート固定具２を手で掴んで引っ張り上げることにより骨組み材１から離脱させるという作業が行われる。
【０００６】
しかしながら、シート固定具２の弾性が大きく、骨組み材１にシート固定具２が強固に嵌着しているときには、作業者がシート固定具２を手で掴んで引っ張り上げるだけでは、シート固定具２を骨組み材１から離脱させることに困難を伴うことがある。特に、屋根高さの高いサクランボ栽培用のハウスなどでは、シート３が強風に晒されてシート固定具２が吹き飛ばされてしまう懸念があるので、シート固定具２の弾性を大きくして骨組み材１にシート固定具２を強固に嵌着させていることが多い。そのために、作業者がシート固定具２を手で掴んで引っ張り上げることによりシート固定具２を骨組み材１から離脱させることは困難である。そこで、ドライバなどの工具や取外し専用の工具を用いてシート固定具２を骨組み材１からこじ外すことも行われる。
【先行技術文献】
【特許文献】
【０００７】
【特許文献１】特開２００５−５２０９２号公報
【考案の概要】
【考案が解決しようとする課題】
【０００８】
しかしながら、ドライバなどの工具や取外し専用の工具を用いてシート固定具２を骨組み材１からこじ外す作業には危険が伴い、場合によってはドライバなどの工具や取外し専用の工具などによりハウスに張設している被覆材としてのハウス用シートが破れたり、作業者が怪我をすることがあるという問題があった。また、取外しに大きな労力が必要になるという問題や、作業自体が煩わしいという問題があった。
【０００９】
本考案は、以上の問題を改善することを意図してなされたものであり、ドライバなどの工具や取外し専用の工具を必要とせず、しかも、作業者が安全にかつ容易に骨組み材から取り外すことのできるシート固定具を提供することを目的とする。
【課題を解決するための手段】
【００１０】
本考案に係るハウス用シート固定具は、周方向１箇所に形成された全長に亘る開き口を介してロッド状の骨組み材に嵌脱可能で、嵌着状態ではハウス用シートを上記骨組み材との間に挟み込んで固定する細長筒状のシート取付部材と、骨組み材とシート取付部材との間に挟み込まれた上記シートの上に配備されて、そのシートと上記シート取付部材との間に挟み込まれて上記シート取付部材の外側方へ引き出される紐状又は帯状の柔軟な取外し用引紐と、を有する。
【００１１】
この構成を備えたハウス用シート固定具では、骨組み材にシート取付部材を嵌着して両者の間にシートを挟み込むと共に、シート取付部材とシートとの間に取外し用引紐を挟み込んで、その引紐をシート取付部材の外側方へ引き出しておくことが可能である。そのようにしておくと、シート取付部材の外側方へ引き出されている引紐を引っ張り、その引張り力を利用してシート取付部材を骨組み材から取り外すことが可能である。したがって、ドライバなどの工具や取外し専用の工具を必要とせずに、ハウスに張設しているハウス用シートを破損させたりすることなく、作業者が安全にかつ容易に骨組み材からシート取付部材を取り外すことができるようになる。
【００１２】
本考案において、細長筒状の上記シート取付部材は、内周断面形状が円形の上記骨組み材を抱持可能な形状に形成された弾性を有する樹脂成形体でなる、という構成を採用することが可能である。また、当該シート取付部材に締め輪を装着して、シート取付部材の開閉方向での弾性を増強しておくことも可能である。
【００１３】
本考案では、上記取外し用引紐が、上記シート取付部材の長手方向の一端部又は他端部だけに配備され得る幅を有する帯状に形成されていることが望ましい。この構成であると、帯状の引紐が幅狭であるので、作業者が引紐を手で掴みやすい。そのため、引紐を引っ張ってシート取付部材を骨組み材から取り外す作業を容易に行うことが可能になる。
【００１４】
本考案では、上記取外し用引紐が、上記シート取付部材を取り囲む無端環状に形成されている、という構成を採用することが可能である。この構成であると、当該シート固定具の使用状態において、引紐がシート取付部材の周囲に配置されるようになる。そのため、引紐がシートの上に垂れてシートを傷めるという事態が抑制されるだけでなく、風圧を受けたときに引紐がシートの上でばたついて騒音を発生したりシートを傷めたりするという事態も抑制される。
【００１５】
本考案では、上記取外し用引紐にテント地が採用されていることが望ましい。この構成であると、ハウスが屋外に設置されて風雨に晒されるとしても、引紐が風雨に耐え得る十分な耐久性を発揮する。
【００１６】
本考案では、上記取外し用引紐の中間部が、細長筒状の上記シート取付部材の内面に接合されている、という構成を採用することも可能である。この構成であれば、引紐がシート取付部材に一体化されているので、両者を１部品として取り扱うことが可能になり、シート取付部材でシートを骨組み材に固定したり、シート取付部材を骨組み材から取り外すときの作業性が向上する。
【考案の効果】
【００１７】
以上のように、本考案に係るハウス用シート固定具によると、ドライバなどの工具や取外し専用の工具を必要とせずに、ハウスに張設しているハウス用シートを破損させたりすることなく、作業者が安全にかつ容易に当該シート固定具を骨組み材から取り外すことができるようになる。
【図面の簡単な説明】
【００１８】
【図１】本考案に係るシート固定具の概略分解斜視図である。
【図２】固定作業の前段階を示した説明図である。
【図３】固定作業が行われた後の段階を示した説明図である。
【図４】固定作業が行われた後の段階を示した説明図である。
【図５】シート取付部材に対する引紐の配置箇所を側面図で例示した説明図である。
【図６】変形例によるシート固定具の正面図である。
【図７】従来例に係るシート固定具の使用状態を示した概略斜視図である。
【図８】従来例に係るシート固定具によるシートの固定箇所の構成を示した拡大断面図である。
【考案を実施するための形態】
【００１９】
本考案に係るシート固定具の実施形態を以下に説明する。図１はシート固定具１０の概略分解斜視図である。同図において、２０はシート取付部材、３０は柔軟な取外し用引紐を示している。
【００２０】
シート取付部材２０は細長筒状に形成された弾性を備える樹脂成形体でなり、周方向１箇所に開き口２１を有している。シート取付部材２０の内面は円弧状ないし馬蹄形状に形成されている。また、シート取付部材２０の長手方向の間隔を隔てた複数箇所（図例では３箇所）に肉厚部２２が備わり、これらの肉厚部２２には溝部２３が設けられている。そして、その溝部２３に弾性を有するスチール製の線材でなる円弧状の締め輪２４が嵌合されている。この締め輪２４はシート取付部材２０に巻き付く形態で配備されていると共に、その締め輪２４の両端部に曲成された三角形状の係合部２５を、シート取付部材２０に一体に成形されている突起でなる係止部２６に係合させることによって、シート取付部材２０からの脱落が防止されている。シート取付部材２０に上記のように締め輪２４を装着しておくと、締め輪２４の弾性によってシート取付部材２０の開閉方向での弾性が増強されることになる。
【００２１】
図１には２種類の帯状の取外し用引紐３０が示されている。一方側の引紐３０は、細長帯状に形成されているのに対し、他方側の帯状の引紐３０は無端環状に形成されている。これらの各引紐３０は、いずれか一方がシート取付部材２０と組み合わせて使用される。また、これらの引紐３０の幅寸法は、シート取付部材２０の長さ寸法に比べて短く定められている。具体的には、引紐３０が、シート取付部材２０の長手方向の一端部又は他端部だけに配備され得る幅寸法を有している。これらの引紐３０には、屋外使用での耐久性に優れたテント地を好ましく採用することができるほか、滑り性に優れる化繊地などを用いることも可能である。
【００２２】
次に、シート固定具１０用いてハウスの骨組み材１にシート３を固定する作業を説明する。
【００２３】
図２は固定作業の前段階を示した説明図、図３及び図４は固定作業が行われた後の段階を示した説明図である。図２のように、骨組み材１の上に被覆材としてのシート（たとえばビニールシート）３を配備し、その上に引紐３０を配備した後、同図矢印Ｄのようにシート取付部材２０を押し下げてその開き口２１を引紐３０及びシート３の上から骨組み材１に押し当て、さらに、シート取付部材２０をその弾性を活用して骨組み材１に押し込んで嵌着する。このようにすると、図３のように、骨組み材１とシート取付部材２０との間にシート３が挟み込まれてシート３が骨組み材１に固定されると同時に、引紐３０がシート３とシート取付部材２０との間に挟み込まれて、引紐３０も骨組み材１に固定される。そして、引紐３０はシート取付部材２０の外側方へ引き出された状態になる。
【００２４】
この場合において、無端環状の引紐３０を用いたときには、図３のように引紐３０がシート取付部材２０を取り囲む状態になるので、引紐３０の大部分がシート取付部材２０の上に重なることになり、シート取付部材２０の外側方に引き出されている引紐３０がシート３の上に垂れることが抑制される。そのため、無端環状の引紐３０を用いると、風圧を受けた引紐３０が、シート３の上でばたついて騒音を発生したりシートを傷めたりするという事態が起こりにくくなるという利点がある。これに対し、帯状の引紐３０を用いたときには、図４のように引紐３０の両端がシート３の上に垂れて重なり状に配置されることになる。
【００２５】
シート３をハウスから撤去するときには、シート固定具１０を骨組み材１から取り外す。このときのシート固定具１０の取外し作業では、シート取付部材２０の外側方へ引き出されている引紐３０を作業者が手で掴んで引っ張ることにより、シート取付部材２０を拡径変形させながら骨組み材１から離脱させる。この場合において、無端環状の引紐３０では、たとえば図３に仮想線で示したところから類推できるように、引紐３０に手の指などを引っ掛けて矢印Ｕ１のように引っ張ることができるため、引紐３０を手で掴むのに必要な労力が軽減されるという利点がある。また、帯状の引紐３０では、たとえば図４に仮想線で示したところから類推できるように、引紐３０の端部を手で掴んで矢印Ｕ２のように引っ張る、という作業を行う。
【００２６】
上記したように、この実施形態に採用されている引紐３０は、シート取付部材２０の長手方向の一端部又は他端部だけに配備され得る幅寸法を有している。シート取付部材２０の全長が２５ｃｍ前後である場合には、引紐３０として、その幅寸法が１０ｍｍ、全長が４０ｃｍ程度の柔軟な帯状素材を選択することが可能である。そして、引紐３０をシート取付部材２０の長手方向の一端部又は他端部だけに配備しておくと、引紐３０を引っ張ってシート取付部材２０を骨組み材１から離脱させるときの作業性が向上する。すなわち、たとえば図５のようにシート取付部材２０の一端部側に偏った箇所に引紐３０を位置させておくと、その引紐３０を矢印Ｕのように引き上げたときに、シート取付部材２０の一端部側に偏った箇所に引上げ力が主に作用する。そのため、シート取付部材２０がその一端部側から他端部側に向けて順次拡径しながら骨組み材１から離脱するようになる。したがって、シート取付部材２０の全体を同時に拡径させて骨組み材１から離脱させる場合よりも引き上げに要する力が少なくて済み、それだけ作業性が向上する。
【００２７】
以上説明した実施形態では、無端環状又は細長帯状に形成されている引紐３０がシート取付部材２０から分離していて、両者を別々に取り扱うようになっているけれども、この点は、両者を一体化して１部品として取り扱うことができるようにすることも可能である。図６にはそのような事例を例示してある。
【００２８】
図６は変形例によるシート固定具１０の正面図である。この事例では、上記したものと同様の形状のシート取付部材２０の内面に無端環状又は細長帯状の引紐３０の中間部を沿わせ、その中間部の適所を接着剤４０でシート取付部材２０の内面に接合してある。このように引紐３０の中間部をシート取付部材２０の内面に接合しておくと、引紐３０をシート取付部材２０と共に一部品として取り扱うことが可能になるので、シート取付部材２０を骨組み材（不図示）に嵌着させるとき、及び、シート取付部材２０を骨組み材から離脱させるときの作業工程が簡略化されるという利点がある。
【００２９】
図１に示したシート取付部材２０ではその開閉方向の弾性を締め輪２４によって増強してあるけれども、樹脂成形体でなるシート取付部材２０自体が十分に大きな弾性を有しているものである場合には、締め輪２４を省略することが可能である。また、図１では、帯状の引紐３０を無端環状又は細長形状に形成したものを示したけれども、この点は、引紐として断面偏平又は円形の紐状のものを採用することも可能である。さらに、上記した骨組み材１には丸パイプ材が用いられている。この丸パイプ材には、建築現場で用いられる足場組立用のパイプ材（たとえば、直径４２．７０ｍｍ、直径４８．６ｍｍのパイプ鋼材など）、棒材などを用いることができる。骨組み材１として、断面形状が角形の鋼材を用いることも可能である。そして、いずれの場合であっても、シート取付部材は、内周断面形状が骨組み材を抱持可能な形状に形成されていることが望ましい。
【符号の説明】
【００３０】
１  骨組み材
３  シート
１０  シート固定具
２０  シート取付部材
２１  開き口
３０  取外し用引紐
【図１】
0003180430.tif 000003
【図２】
0003180430.tif 000004
【図３】
0003180430.tif 000005
【図４】
0003180430.tif 000006
【図５】
0003180430.tif 000007
【図６】
0003180430.tif 000008
【図７】
0003180430.tif 000009
【図８】
0003180430.tif 000010